【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
少なくとも７５０μｍｏｌ／ｇの塩基性アミノ基を有するオリゴアミドの形態における
色移り防止剤、ならびに該成分と相溶性の通常の原料を含む、洗剤、洗浄添加剤組成物、洗濯用前処理組成物または清浄剤であって、ここで、前記オリゴアミドは、式Ｉａおよび／またはＩｂで示される繰返し単位、および、場合により式ＩＩおよび／またはＩＩ’で示される分枝状単位：
【化１】
2015508111.tif 000001
［式中、
Ａは２〜２０個の炭素原子を有するアルカンジイル基から選択され、ここで、１、２、３
、４または５個の隣接しないＣＨ２基が対応する数のＮＨ基で置き換えられていてよく、
および／または、２個の共に結合されたＣＨ２基がＣ５-Ｃ７-シクロアルカンジイル基お
よび式(Ａ''-Ｏ)ｐ-Ａ’〔式中、Ａ''はＣ２-Ｃ４-アルカンジイルであり、ｐは１〜２０
の範囲の整数であり、ここで、繰返し単位Ａ''-Ｏは同一または異なってよい〕で示され
る基で結合的に置き換えられていてよく；
Ａ’は、２〜２０個の炭素原子を有するアルカンジイル基から選択され、ここで、１、２
、３、４または５個の隣接しないＣＨ２基が対応する数のＮＨ基で置き換えられていてよ
く、および／または、２個の共に結合されたＣＨ２基がＣ５-Ｃ７-シクロアルカンジイル
基で結合的に置き換えられていてよく；
Ｂは、共有結合、１〜２０個の炭素原子を有するアルカンジイル基、ここで、２個の共に結合されたＣＨ２基がＣ５-Ｃ７-シクロアルカンジイル基で結合的に置き換えられていてよい、および非置換またはＣ１-Ｃ４-アルキル、Ｃ１-Ｃ４-アルコキシおよびＳＯ３Ｈから選択される１個または２個の置換基を有するＣ６-Ｃ１４-アリーレンジイルから選択され、
Ｂ’は、４〜２０個の炭素原子を有するアルカンジイル基から選択される］
から本質的に構成される、洗剤、洗浄添加剤組成物、洗濯用前処理組成物または清浄剤。
【請求項２】
０.０５重量％〜２０重量％、特に０.１重量％〜５重量％のオリゴアミドを含む、請求
項１に記載の組成物。
【請求項３】
水不溶性の布に塗布されたオリゴアミドを含む、請求項１または２に記載の組成物。
【請求項４】
繊維製品洗剤組成物における添加剤としての、少なくとも７５０μｍｏｌ／ｇの塩基性
アミノ基を有するオリゴアミドの使用であって、ここで、前記オリゴアミドは、請求項１に記載の式Ｉａおよび／またはＩｂで示される繰返し単位、および、場合により請求項１に記載の式ＩＩおよび／またはＩＩ’で示される分枝状単位から本質的に構成される、使用。
【請求項５】
着色された繊維製品から、非着色のまたは異なる着色がなされた繊維製品への繊維染料
の移行を、特に界面活性剤含有水溶液中でこれらを組み合わせて洗浄する際に防止するた
めの、または、特に界面活性剤含有水溶液中でこれらを洗浄中における繊維製品の色の印
象の変化を防止するための、少なくとも７５０μｍｏｌ／ｇの塩基性アミノ基を有するオ
リゴアミドの使用であって、ここで、前記オリゴアミドは、請求項１に記載の式Ｉａおよび／またはＩｂで示される繰返し単位、および、場合により請求項１に記載の式ＩＩおよび／またはＩＩ’で示される分枝状単位から本質的に構成される、使用。
【請求項６】
着色された繊維製品を界面活性剤含有水溶液中で洗浄するための方法であって、少なく
とも７５０μｍｏｌ／ｇの塩基性アミノ基を有するオリゴアミドを含む界面活性剤含有水
溶液を使用する、ここで、前記オリゴアミドは、請求項１に記載の式Ｉａおよび／またはＩｂで示される繰返し単位、および、場合により請求項１に記載の式ＩＩおよび／またはＩＩ’で示される分枝状単位から本質的に構成される、方法。
【請求項７】
オリゴアミドは、
ａ）特に式Ｖ１：
【化２】
2015508111.tif 000002
［式中、
Ａは２〜２０個の炭素原子を有するアルカンジイル基から選択され、ここで、１、２、３
、４または５個の隣接しないＣＨ２基が対応する数のＮＨ基で置き換えられていてよく、
および／または、２個の共に結合されたＣＨ２基がＣ５-Ｃ７-シクロアルカンジイル基お
よび式(Ａ''-Ｏ)ｐ-Ａ''〔式中、Ａ''はＣ２-Ｃ４-アルカンジイルであり、ｐは１〜２０
の範囲の整数であり、ここで、繰返し単位Ａ''-Ｏは同一または異なってよい〕で示され
る基で結合的に置き換えられていてよい］
で示される化合物から選択される、２個の第１級アミノ基を有する少なくとも１種のアミ
ノ化合物と、
ｂ）ジカルボン酸、そのアミド形成性誘導体およびラクタムから選択される、少なくとも
１種のアミド形成性化合物
とを反応させることにより得られる、請求項１〜６のいずれかに記載の組成物、使用また
は方法。
【請求項８】
アミド形成性化合物は、式Ｖ２：
【化３】
2015508111.tif 000003
［式中、Ｂは、
共有結合、
１〜２０個の炭素原子を有するアルカンジイル基、ここで、２個の共に結合されたＣＨ
２基がＣ５-Ｃ７-シクロアルカンジイル基で結合的に置き換えられていてよい、および、
非置換またはＣ１-Ｃ４-アルキル、Ｃ１-Ｃ４-アルコキシおよびＳＯ３Ｈから選択され
る１、２または３個の置換基を有するアリーレン
から選択され、ここで、Ｂは特に１,４-ブタンジイルである］
で示されるジカルボン酸およびそのアミド形成性誘導体から選択される、請求項７に記載
の組成物、使用または方法。
【請求項９】
アミド形成性化合物は、ラクタム、および、ラクタムとジカルボン酸またはそのアミド
形成性誘導体との混合物から選択され、ここで、該ラクタムは特にカプロラクタムである
、請求項７に記載の組成物、使用または方法。
【請求項１０】
オリゴアミドは、次の特徴ｉ）〜ｉｖ）：
ｉ）オリゴアミドは水不溶性かつ粒子状であり、ここで、オリゴアミド粒子は、１ｎｍ〜
５００μｍ、特に５ｎｍ〜１００μｍの範囲の粒子サイズを有する、
ｉｉ）オリゴアミドは水不溶性かつ粒子状であり、ここで、オリゴアミド粒子の平均粒子
サイズ（重量平均）は、５ｎｍ〜１００μｍ、特に１μｍ〜５０μｍの範囲である、
ｉｉｉ）オリゴアミドは、１００μｍ／ｇ未満のカルボキシル基を有する、
ｉｖ）オリゴアミドは、２００ｇ／ｍｏｌ〜５０００ｇ／ｍｏｌの範囲の数平均分子量を
有する
の少なくとも１つ、特に少なくとも２、３または４つを有する、請求項１〜９のいずれ
かに記載の組成物、使用または方法。
【請求項１１】
少なくとも７５０μｍｏｌ／ｇの塩基性アミノ基および２００ｇ／ｍｏｌ〜５０００ｇ
／ｍｏｌの範囲の数平均分子量を有し、式Ｉａおよび／またはＩｂで示される繰返し単位、および、場合により式ＩＩおよび／またはＩＩ’で示される分枝状単位：
【化４】
2015508111.tif 000004
［式中、
Ａは２〜２０個の炭素原子を有するアルカンジイル基から選択され、ここで、１、２、３
、４または５個の隣接しないＣＨ２基が対応する数のＮＨ基で置き換えられていてよく、
および／または、２個の共に結合されたＣＨ２基がＣ５-Ｃ７-シクロアルカンジイル基お
よび式(Ａ''-Ｏ)ｐ-Ａ’〔式中、Ａ''はＣ２-Ｃ４-アルカンジイルであり、ｐは１〜２０
の範囲の整数であり、ここで、繰返し単位Ａ''-Ｏは同一または異なってよい〕で示され
る基で結合的に置き換えられていてよく；
Ａ’は、１〜２０個の炭素原子を有するアルカンジイル基から選択され、ここで、１、２
、３、４または５個の隣接しないＣＨ２基が対応する数のＮＨ基で置き換えられていてよ
く、および／または、２個の共に結合されたＣＨ２基がＣ５-Ｃ７-シクロアルカンジイル
基で結合的に置き換えられていてよく；
Ｂは、共有結合、１〜２０個の炭素原子を有するアルカンジイル基、ここで、２個の共に結合されたＣＨ２基がＣ５-Ｃ７-シクロアルカンジイル基で結合的に置き換えられていてよい、および非置換またはＣ１-Ｃ４-アルキル、Ｃ１-Ｃ４-アルコキシおよびＳＯ３Ｈから選択される１個または２個の置換基を有するＣ６-Ｃ１４-アリーレンジイルから選択され、
Ｂ’は、４〜２０個の炭素原子を有するアルカンジイル基から選択される］
から本質的に構成される、オリゴアミド。
【請求項１２】
ａ）特に式Ｖ１：
【化５】
2015508111.tif 000005
［式中、
Ａは２〜２０個の炭素原子を有するアルカンジイル基から選択され、ここで、１、２、３
、４または５個の隣接しないＣＨ２基が対応する数のＮＨ基で置き換えられていてよく、
および／または、２個の共に結合されたＣＨ２基がＣ５-Ｃ７-シクロアルカンジイル基お
よび式(Ａ''-Ｏ)ｐ-Ａ''〔式中、Ａ''はＣ２-Ｃ４-アルカンジイルであり、ｐは１〜２０
の範囲の整数であり、ここで、繰返し単位Ａ''-Ｏは同一または異なってよい〕で示され
る基で結合的に置き換えられていてよい］
で示される化合物から選択される、２個の第１級アミノ基を有する少なくとも１種のアミ
ノ化合物と、
ｂ）ジカルボン酸、そのアミド形成性誘導体およびラクタムから選択される、少なくとも
１種のアミド形成性化合物
とを反応させることにより得られる、請求項１１に記載のオリゴアミド。
【請求項１３】
アミド形成性化合物は、式Ｖ２：
【化６】
2015508111.tif 000006
［式中、Ｂは、
共有結合、
１〜２０個の炭素原子を有するアルカンジイル基、ここで、２個の共に結合されたＣＨ
２基がＣ５-Ｃ７-シクロアルカンジイル基で結合的に置き換えられていてよい、および、
非置換またはＣ１-Ｃ４-アルキル、Ｃ１-Ｃ４-アルコキシおよびＳＯ３Ｈから選択され
る１、２または３個の置換基を有するアリーレン
から選択され、ここで、Ｂは特に１,４-ブタンジイルである］
で示されるジカルボン酸およびそのアミド形成性誘導体から選択される、請求項１２に記
載のオリゴアミド。
【請求項１４】
アミド形成性化合物は、ラクタム、および、ラクタムとジカルボン酸またはそのアミド
形成性誘導体との混合物から選択され、ここで、該ラクタムは特にカプロラクタムである
、請求項１２に記載のオリゴアミド。
【請求項１５】
次の特徴ｉ）〜ｉｖ）：
ｉ）オリゴアミドは水不溶性かつ粒子状であり、ここで、オリゴアミド粒子は、１ｎｍ〜
５００μｍ、特に５ｎｍ〜１００μｍの範囲の粒子サイズを有する、
ｉｉ）オリゴアミドは水不溶性かつ粒子状であり、ここで、オリゴアミド粒子の平均粒子
サイズ（重量平均）は、５ｎｍ〜１００μｍ、特に１μｍ〜５０μｍの範囲である、
ｉｉｉ）オリゴアミドは、１００μｍ／ｇ未満のカルボキシル基を有する、
ｉｖ）オリゴアミドは、２００ｇ／ｍｏｌ〜５０００ｇ／ｍｏｌの範囲の数平均分子量を
有する
の少なくとも１つ、特に少なくとも２、３または４つを有する、請求項１１〜１４のいず
れかに記載のオリゴアミド。